(57)【特許請求の範囲】
【請求項１】
表示領域において縦方向に延びるｍ本の信号線と、横方向に延びるｎ本の走査線と、マトリックス状に配置された複数の画素とを有する液晶パネルと、
前記液晶パネルを照明するバックライトと、
前記各信号線に映像信号と非映像信号を出力するソースドライバと、
前記各走査線にパルス状のゲート信号を出力するゲートドライバと、
前記非映像信号を前記各画素に書き込む非映像信号書き込み期間、前記映像信号を前記各画素に書き込む映像書き込み期間、前記各画素に書き込んだ前記映像信号を保持する映像保持期間の順番に構成されるように制御する第１制御部と、
前記バックライトの点消灯を制御する第２制御部と、
を有する液晶表示装置であって、
前記表示領域は、横方向に延びる第１ブロックから第Ｌブロック（但し、１＜Ｌ＜ｎである）に分割され、
前記バックライトは、前記ブロック毎に光源を有し、
前記第１制御部は、
（１）前記ブロック毎に前記非映像信号書き込み期間、前記映像書き込み期間、前記映像保持期間の順番になるように制御し、
（２）第ｋブロック（但し、１＜ｋ≦Ｌである）の前記映像書き込み期間が、第（ｋ−１）ブロックの前記映像書き込み期間より所定時間遅らせるように制御し、
前記第２制御部は、
（１）前記ブロック毎に前記映像信号に基づいて前記各光源の輝度を算出し、（２）前記（１）で算出した前記第ｋブロックの前記光源の輝度を、前記第（ｋ−１）ブロックの前記光源の輝度の所定の範囲内に補正し、（３）前記ブロック毎のそれぞれの前記映像保持期間においてのみ前記各光源を前記補正した輝度で点灯させ、それ以外の期間において消灯させるものであって、
前記第２制御部が、前記（２）で用いる前記第（ｋ−１）ブロックの前記光源の輝度は、さらに一つ前のブロックの前記光源における補正された輝度に基づいて補正された輝度である、
液晶表示装置。
【請求項２】
前記第２制御部は、前記第ｋブロックの前記光源の輝度を、前記第（ｋ−１）ブロックの前記光源の輝度の±１０％の範囲内に補正する、
請求項１記載の液晶表示装置。
【請求項３】
表示領域において縦方向に延びるｍ本の信号線と、横方向に延びるｎ本の走査線と、マトリックス状に配置された複数の画素とを有する液晶パネルと、
前記液晶パネルを照明するバックライトと、
前記各信号線に映像信号と非映像信号を出力するソースドライバと、
前記各走査線にパルス状のゲート信号を出力するゲートドライバと、
１フレーム期間において、前記非映像信号を前記各画素に書き込む非映像信号書き込み期間、前記映像信号を前記各画素に書き込む映像書き込み期間、前記各画素に書き込んだ前記映像信号を保持する映像保持期間の順番に構成されるように制御する第１制御部と、
前記バックライトの点消灯を制御する第２制御部と、
を有する液晶表示装置であって、
前記表示領域は、横方向に延びる第１ブロックから第Ｌブロック（但し、１＜Ｌ＜ｎである）に分割され、
前記バックライトは、前記ブロック毎に光源を有し、
前記第１制御部は、前記ブロック毎に前記非映像信号書き込み期間、前記映像書き込み期間、前記映像保持期間の順番になるように制御し、
前記第２制御部は、（１）フレーム期間毎に前記映像信号に基づいて前記各光源の輝度を算出し、（２）前記（１）で算出した現フレーム期間の前記各光源の前記輝度を、前記現フレーム期間より一つ前のフレーム期間における前記各光源の輝度の平均値の所定の範囲内に補正し、（３）前記ブロック毎のそれぞれの前記映像保持期間においてのみ前記各光源を前記補正した輝度で点灯させ、それ以外の期間において消灯させるものであって、
前記第２制御部が、前記（２）で用いる前記一つ前のフレーム期間における前記光源の輝度は、さらに一つ前のフレームの前記光源における補正された輝度に基づいて補正された輝度である、
液晶表示装置。
【請求項４】
前記ブロック毎の映像信号を格納するＳ個（但し、１＜Ｓ＜Ｌである）のブロックメモリを有し、
前記ブロックメモリに格納した前記映像信号を前記第１制御部に出力する、
請求項１または３記載の液晶表示装置。
【請求項５】
前記非映像信号は、黒表示に対応する信号である、
請求項１または３記載の液晶表示装置。
【請求項６】
前記液晶パネルは、ＯＣＢ型の液晶である、
請求項１または３記載の液晶表示装置。
【発明の詳細な説明】
【技術分野】
【０００１】
本発明は、ＯＣＢ型の液晶表示装置に関するものである。
【背景技術】
【０００２】
従来より、動画視認性を改善するための高速応答の液晶表示装置において、バックライト輝度制御を応用してコントラストを向上させることが考えられる。そのために、バックライトの輝度を映像に応じて可変させつつ、輝度のレンジが切り換わっても表示されるガンマ特性を理想の状態に保持するように、ガンマ特性を切り換える。
【０００３】
このような高速応答を特徴とする液晶表示装置としては、例えばＯＣＢ型の液晶表示装置があり、液晶テレビや液晶モニター等に搭載されている（例えば、特開２００４−１８５０２７公報参照）。このＯＣＢ型の液晶表示装置は、スプレイ配向からベンド配向への逆転移を防止するために、いわゆる「フラッシングレス駆動法」が提案されている。このフラッシングレス駆動法は、１フレーム期間内において黒映像信号を各画素に書き込む黒書込み期間、映像信号を各画素に書き込む映像書込み期間、各画素に書き込んだ映像信号を保持し、この期間においてバックライトを点灯する映像保持期間とから構成されている。このようなフラッシングレス駆動法を用いることにより、逆転移を起こすことなく鮮明な画像を表示することができる。
【０００４】
ところで、上記のような液晶表示装置においては、映像が明るいと判断された場合には、バックライト輝度を上げると共にガンマ特性を暗から明への傾きを寝かせる方向に切り換え、映像が暗いと判断された場合には、バックライト輝度を下げると共にガンマ特性を暗から明への傾きを立たせる方向に切り換えることで、よりレンジの広い範囲でのガンマ特性で映像を表現している。
【０００５】
この映像の明暗の判断方法については、例えば、映像１フレーム内での各画素の階調を平均した階調レベルによって判断する方法、または、各画素の階調をヒストグラムに取って最も多く存在する階調レベルによって判断する方法などがある。
【０００６】
これらの判断方法によって決定された階調レベルに応じてバックライト輝度を可変させる。この可変方法としては、ＰＷＭ制御によるパルス幅を可変する方法、電圧や電流を可変する方法など様ような方法が提案されている。
【０００７】
以上のように映像に連動してバックライト輝度を切り換えることで、最大階調、かつ、最大バックライト輝度から最低階調、かつ、最低バックライト輝度までの広い範囲で、液晶から表示される輝度が可変できるため大幅なコントラストアップを図れることができる。
【０００８】
また、バックライト輝度としては最大で点灯させる条件以外は、輝度を下げることとなるので、従来のように常に点灯しているバックライトに比べ電力を低減することもできる。
【特許文献１】特開２００４−１８５０２７公報
【発明の開示】
【発明が解決しようとする課題】
【０００９】
しかしながら、映像が出力されるタイミングとバックライト輝度を切り換えるタイミングとしては、まずあるフレーム時点（例えば、「第ａフレーム期間」とする）の映像を取り込んで、第（ａ＋１）フレーム期間で上記のような平均処理やヒストグラム処理を実施し、バックライト輝度やガンマ特性を算出することとなる。
【００１０】
そのため、実際にバックライト輝度が切り換わるのは第（ａ＋２）フレーム期間ということとなり、２フレーム遅れて制御させることとなる。このことにより、出力される映像とバックライト輝度のずれが生じるため、バックライト輝度によるちらつきや輝度変化遅れの異常な映像が見えてしまうという問題点がある。
【００１１】
そこで、映像信号源から入力された映像信号を、第ａフレーム期間で取り込むと共にフレームメモリに保存する。そして、第（ａ＋１）フレーム期間にてバックライト輝度とガンマ特性を算出した後、第（ａ＋２）フレーム期間にてバックライト輝度とガンマ特性を切り換えると共にフレームメモリに保存していた映像を出力させる。
【００１２】
このようなフレームメモリを活用することで、映像に応じたバックライト輝度とガンマの制御を掛けることが可能となる。
【００１３】
ところがこのような方法であると、上記したように最低３フレーム分の映像を記憶させるフレームメモリが必要となり、コストが上昇し、液晶パネルに接続された回路基板の実装スペースの増大を招くという問題点がある。
【００１４】
そこで、本発明は上記問題点に鑑み、メモリ容量を削減することができると共に、映像を鮮明に表示することができる液晶表示装置を提供する。
【課題を解決するための手段】
【００１５】
本発明は、表示領域において縦方向に延びるｍ本の信号線と、横方向に延びるｎ本の走査線と、マトリックス状に配置された複数の画素とを有する液晶パネルと、
前記液晶パネルを照明するバックライトと、
前記各信号線に映像信号と非映像信号を出力するソースドライバと、
前記各走査線にパルス状のゲート信号を出力するゲートドライバと、
前記非映像信号を前記各画素に書き込む非映像信号書き込み期間、前記映像信号を前記各画素に書き込む映像書き込み期間、前記各画素に書き込んだ前記映像信号を保持する映像保持期間の順番に構成されるように制御する第１制御部と、
前記バックライトの点消灯を制御する第２制御部と、
を有する液晶表示装置であって、
前記表示領域は、横方向に延びる第１ブロックから第Ｌブロック（但し、１＜Ｌ＜ｎである）に分割され、
前記バックライトは、前記ブロック毎に光源を有し、
前記第１制御部は、
（１）前記ブロック毎に前記非映像信号書き込み期間、前記映像書き込み期間、前記映像保持期間の順番になるように制御し、
（２）第ｋブロック（但し、１＜ｋ≦Ｌである）の前記映像書き込み期間が、第（ｋ−１）ブロックの前記映像書き込み期間より所定時間遅らせるように制御し、
前記第２制御部は、
（１）前記ブロック毎に前記映像信号に基づいて前記各光源の輝度を算出し、（２）前記（１）で算出した前記第ｋブロックの前記光源の輝度を、前記第（ｋ−１）ブロックの前記光源の輝度の所定の範囲内に補正し、（３）前記ブロック毎のそれぞれの前記映像保持期間においてのみ前記各光源を前記補正した輝度で点灯させ、それ以外の期間において消灯させるものであって、
前記第２制御部が、前記（２）で用いる前記第（ｋ−１）ブロックの前記光源の輝度は、さらに一つ前のブロックの前記光源における補正された輝度に基づいて補正された輝度である、
液晶表示装置である。
【００１６】
本発明は、表示領域において縦方向に延びるｍ本の信号線と、横方向に延びるｎ本の走査線と、マトリックス状に配置された複数の画素とを有する液晶パネルと、
前記液晶パネルを照明するバックライトと、
前記各信号線に映像信号と非映像信号を出力するソースドライバと、
前記各走査線にパルス状のゲート信号を出力するゲートドライバと、
１フレーム期間において、前記非映像信号を前記各画素に書き込む非映像信号書き込み期間、前記映像信号を前記各画素に書き込む映像書き込み期間、前記各画素に書き込んだ前記映像信号を保持する映像保持期間の順番に構成されるように制御する第１制御部と、
前記バックライトの点消灯を制御する第２制御部と、
を有する液晶表示装置であって、
前記表示領域は、横方向に延びる第１ブロックから第Ｌブロック（但し、１＜Ｌ＜ｎである）に分割され、
前記バックライトは、前記ブロック毎に光源を有し、
前記第１制御部は、前記ブロック毎に前記非映像信号書き込み期間、前記映像書き込み期間、前記映像保持期間の順番になるように制御し、
前記第２制御部は、（１）フレーム期間毎に前記映像信号に基づいて前記各光源の輝度を算出し、（２）前記（１）で算出した現フレーム期間の前記各光源の前記輝度を、前記現フレーム期間より一つ前のフレーム期間における前記各光源の輝度の平均値の所定の範囲内に補正し、（３）前記ブロック毎のそれぞれの前記映像保持期間においてのみ前記各光源を前記補正した輝度で点灯させ、それ以外の期間において消灯させるものであって、
前記第２制御部が、前記（２）で用いる前記一つ前のフレーム期間における前記光源の輝度は、さらに一つ前のフレームの前記光源における補正された輝度に基づいて補正された輝度である、
液晶表示装置である。
【発明の効果】
【００１７】
以上により本発明は、ブロック毎にフラッシングレス駆動法を実施するため、ブロック毎の映像信号を格納するメモリを準備すればよく、従来よりメモリ容量を削減することができる。また、隣接するブロックに関して、光源の輝度差による境界スジが発生することがない。
【発明を実施するための最良の形態】
【００１８】
以下、本発明の一実施形態のＯＣＢ型の液晶表示装置について図面に基づいて説明する。
【００１９】
（第１の実施形態）
本発明の第１の実施形態のＯＣＢ型の液晶表示装置について図１〜図４に基づいて説明する。
【００２０】
（１）液晶表示装置の構成
本実施形態の液晶表示装置の構成について図１に基づいて説明する。図１はＯＣＢ型の液晶表示装置の構成を示すブロック図である。
【００２１】
このＯＣＢ型の液晶表示装置は、例えば、７〜９インチの液晶パネル１０、バックライト１１、ソースドライバ１２、ゲートドライバ１３、コントローラ１４、ブロックメモリ１５、入力電源１６、液晶駆動電圧発生回路１７を備えている。
【００２２】
液晶パネル１０は、アレイ基板と対向基板とから構成され、このアレイ基板には信号線と走査線が互いに直交するように配線され、それらの交点にＴＦＴが設けられ、また、アレイ基板と対向基板の間にＯＣＢモードの液晶が挟持されている。なお、本実施形態の液晶パネル１０は、縦方向に１〜ｍラインの信号線が形成され、横方向に１〜ｎラインの走査線が形成されているとする。例えば、ＷＶＧＡの場合には、８００本（×ＲＧＢ）×４８０本であるので、ｎ＝４８０となる。
【００２３】
バックライト１１は、液晶パネル１０の背面に配置されている。このバックライト１１については後から説明する。
【００２４】
ブロックメモリ１５は、入力される映像信号のデータを一時格納する。このブロックメモリ１５についても後から説明する。
【００２５】
入力電源１６は、バックライト１１、コントローラ１４及び液晶駆動電圧発生回路１７に電力を供給し、液晶駆動電圧発生回路１７は、表示用データを液晶パネル１０に表示させるタイミングに応じて、ソースドライバ１２及びゲートドライバ１３に供給する電圧を調整する。
【００２６】
ゲートドライバ１３は、液晶パネル１０の走査線にゲート信号を供給し、ソースドライバ１２は、液晶パネル１０の信号線に映像信号などに対応する電圧を供給する。
【００２７】
ソースドライバ１２は、Ｄ／Ａ変換部２３及びシフトレジスタ２４を備えている。
【００２８】
コントローラ１４については、後から説明する。
【００２９】
（２）バックライト１１の構造
次に、図３に基づいてバックライト１１の構造について説明する。
【００３０】
本実施形態のバックライト１１は、導光板１１１と、１０個のＬＥＤ１１２とから構成される。
【００３１】
図３において、導光板１１１の左端部と右端部のそれぞれに、所定間隔毎に５個のＬＥＤ１１２が埋設されている。また、左右端部に配されたＬＥＤ１１２は相対向する位置に設けられている。
【００３２】
上記のようなＬＥＤ１１２の配置により、導光板１１１は、横方向に延びる第１ブロック１１１ａから第５ブロック１１１ｅに分割されている。
【００３３】
そして、第１ブロック１１１ａに対応する２個のＬＥＤ１１２が点灯すると、この導光板１１１の第１ブロック１１１ａのみが点灯し、この点灯した第１ブロック１１１ａに対応する液晶パネル１０の映像が表示される。
【００３４】
上記のようにバックライト１１を５つのブロックに分けるため、それによって表示される表示領域のブロックも５つに分割される。例えば、上記のように本実施形態はＷＶＧＡであるため、次のような関係となる。
【００３５】
第１ブロックにおいては、第１走査線から第９６走査線に対応する表示領域が第１ブロックとなる。
【００３６】
第２ブロックは、第９７走査線から第１９２走査線に対応する表示領域が第２ブロックとなる。
【００３７】
第３ブロックは、第１９３走査線から第２８８走査線に対応する表示領域が第３ブロックとなる。
【００３８】
第４ブロックは、第２８９走査線から第３８４走査線に対応する表示領域が第４ブロックとなる。
【００３９】
第５ブロックは、第３８５走査線から第４８０走査線に対応する表示領域が第５ブロックとなる。
【００４０】
なお、このブロックの分け方は、４８０本の走査線を５個に均等に分割したが、これに限らず、１００、１００、８０、１００、１００本の分け方にしてもよく、さらに境目の領域にある走査線を重複させてもよい。
【００４１】
（３）ブロックメモリ１５の構造
ブロックメモリ１５は、従来のように１フレーム期間の映像信号を格納するものではなく、３個のメモリから構成され、各メモリに１ブロック分の映像信号が格納される。ここで１ブロック分の映像信号とは、上記したブロック毎の表示を行う映像信号を格納する。
【００４２】
なお、以下の説明においては、この１ブロック分の映像を格納し表示する期間を１ブロック期間という。
【００４３】
（４）液晶表示装置における表示動作
次に、図１を用いて、液晶表示装置におけるコントローラ１４の表示動作について説明する。
【００４４】
ＲＧＢデータである映像信号は、ブロックメモリ１５に一時的に蓄積されていく。
【００４５】
コントローラ１４は、ブロックメモリ１５に蓄積されている一つ前のブロック毎のデータを読み込み、その映像信号に対してガンマ補正処理を行なう。この補正処理については後から説明する。そして、スタートパルスにしたがって、その補正処理を行った表示用のデータを１行画素分ずつソースドライバ１２のシフトレジスタ２４に転送していく。
【００４６】
また、コントローラ１４は、スタートパルスにしたがって、逆転移防止のための黒色映像のデータも１行画素分ずつシフトレジスタ２４へ転送していく。
【００４７】
そして、コントローラ１４は、ソースドライバ１２のＤ／Ａ変換部２３に対してロードパルスを出力する。Ｄ／Ａ変換部２３は、ロードパルスが入力されたタイミングに、シフトレジスタ２４に格納されたデータを１行画素分同時に取得し、Ｄ／Ａ変換して各表示用データに対応した電圧を液晶パネル１０の信号線に出力する。
【００４８】
また、このとき、コントローラ１４は、ゲートドライバ１３から各走査線に出力するパルス状のゲート信号の出力タイミングを制御すると共に、液晶パネル１０の各ＴＦＴが表示用データに応答するタイミングにバックライト１１の各ＬＥＤ１１２を点灯させて、表示用データを液晶パネル１０に表示させる。
【００４９】
（５）コントローラ１４の構成
次に、図２に基づいてコントローラ１４における信号処理の詳細な構成について説明する。図２は、コントローラ１４の信号処理に係わるブロック図である。
【００５０】
図２に示すように、コントローラ１４はヒストグラム検出部３０、ブロックメモリ制御部３２、バックライト輝度算出部３４、バックライト制御部３６、ガンマ変換値算出部３８、ガンマ変換部４０、ＲＧＢ独立ガンマ部４２、ＦＲＣ処理部４４、ソースドライバ出力変換部４６とから構成される。
【００５１】
ヒストグラム検出部３０は、入力した１フレーム期間分の映像信号において、入力される映像信号に基づき、予め区分される、例えば１０分割される各階調範囲に含まれる画素数をカウントし、各階調範囲に含まれる画素数（画素数は画素の頻度の一例である）と対応付けたヒストグラムを生成する。この検出したヒストグラムをバックライト輝度算出部３４とガンマ変換値算出部３８に出力する。
【００５２】
フレームメモリ制御部３２は、フレームメモリ１５に１フレーム期間の映像信号を記憶する。
【００５３】
バックライト輝度算出部３４は、ヒストグラム検出部３０から入力されるヒストグラムに基づいてバックライト１１の輝度を算出するものである。例えば、ヒストグラムにおいて低い階調範囲の頻度が多い場合は、この多頻度の階調範囲に沿うようなバックライト１１の輝度、即ち通常よりも輝度を小さくし、高い階調範囲の頻度が多い場合にはバックライト１１の輝度を高くするように制御する。この算出したバックライト輝度はバックライト制御部３６に出力する。
【００５４】
バックライト制御部３６は、入力したバックライト輝度に基づいてバックライト１１の輝度を調整する。その調整は、発光と非発光の期間を高速に切り替えることにより輝度を変調するＰＷＭ（Ｐｕｌｓｅ  Ｗｉｄｔｈ  Ｍｏｄｕｌａｔｉｏｎ）制御法を用いる。よって、バックライト制御部３６からは、バックライト輝度信号に基づいてＰＷＭ制御信号を生成し、バックライト１１へ出力する。バックライト１１の輝度の調整については、上記の他に、電流量自体を制御するものであっても構わない。
【００５５】
ガンマ変換値算出部３８は、ヒストグラムとバックライト輝度とから、入力した映像信号のガンマ値の補正をするためのガンマ変換値を算出する。
【００５６】
ガンマ変換部４０は、フレームメモリ制御部３２から入力した映像信号と、ガンマ変換値算出部３８から入力したガンマ変換値に基づいて、映像信号のガンマを変更する。例えば、ヒストグラムに基づきバックライト１１の輝度を通常よりも小さくすると、本来の階調輝度に比べて輝度が低下する。そこで、映像信号を、本来の階調よりも明るい階調となるように変換する。この変換は、理想ガンマ曲線、例えば２．２乗ガンマ曲線に近づけるように変換する。
【００５７】
ＲＧＢ独立ガンマ部４２は、その変更されたガンマ変換に基づいてＲＧＢ独立にそれぞれ映像信号のガンマ値を補正する。この補正は、例えばＯＣＢ型の液晶のように、Ｒ，Ｇ，Ｂ個々にガンマ設定されることが望ましい場合に有効に適用される。
【００５８】
ＦＲＣ処理部４４は、各ＲＧＢの映像信号についてＦＲＣ（Ｆｒａｍｅ  Ｒａｔｅ  Ｃｏｎｔｒｏｌ）処理を行う。このＦＲＣ処理部４４は、例えば１０ビットの入力映像信号において、８ビットのソースドライバを使用し、１０ビット相当の階調表示を行う場合等に用いるものである。
【００５９】
ソースドライバ出力変換部４６は、ＦＲＣ処理が行われたＲＧＢの映像信号をソースドライバ１２に出力する。
【００６０】
（６）フラッシングレス駆動法
次に、本実施形態の液晶表示装置１０におけるフラッシングレス駆動法について説明する。
【００６１】
このフラッシングレス駆動法は、１フレーム期間において、例えば最初の１／４フレーム期間に非映像信号として黒映像信号を書き込む黒書込み期間と、続く１／４フレーム期間に映像信号を書き込む映像書込み期間と、その書き込んだ映像信号を２／４フレーム期間にわたり保持する映像保持期間とより順番に構成される。そして、映像保持期間においてバックライト１１の各ブロックに対応するＬＥＤ１１２を点灯させ、映像を表示させる。
【００６２】
このフラッシングレス駆動法であると、１フレーム期間の最初に黒映像が書き込まれることによりベンド配向からスプレイ配向への逆転移を防止することができると共に鮮明な画像を得ることができる。また、映像保持期間においてバックライト１１を点灯させるため、映像にちらつき等が起こることがない。
【００６３】
なお、「黒映像信号」とは、黒挿入に対応した信号であり、黒書込み期間においてはバックライト１１は点灯しないため映像としては表示されない。また、黒映像信号における黒色は、階調０の黒に限らず、それに近い階調（色）であればよい。
【００６４】
また、黒映像信号に代えて、黒映像信号より高い電圧値の非映像信号を用いても構わない。この場合、表示上は灰色となるがバックライト１１を消灯させておくことでコントラストへの悪影響はほとんどなく、効果的に逆転移の防止が可能となる。例えば、黒映像信号よりも高い電圧値に対応する非映像信号を用いることで、非映像信号の挿入率をより短くすることも可能となる。これにより、逆転移が生じやすい高温環境下でも高い表示輝度を得ることが可能となる。なお、この非映像信号の挿入率は、環境温度に基づいて適宜変更するように構成することも可能である。
【００６５】
（７）具体的な駆動方法
次に、図４に基づいて液晶表示装置の具体的な駆動方法について図４に基づいて説明する。
【００６６】
図４は、その具体的な表示方法を説明するための図面であり、フレーム単位毎の処理の時間的な流れを示している。横軸はフレーム期間毎の流れを示し、１フレーム期間を５個の分割期間に分割して説明している。また、横軸はブロック毎の信号の流れと、バックライト１１１のＬＥＤ１１２の点灯（ＯＮ）または消灯の状態を示し、図４においてはこれを「ＢＬ」で示している。
【００６７】
図４中のＡは、映像信号の取り込みとフレームメモリ１５における各メモリ１５１〜１５３のメモリの保存期間を示している。Ｂは、上記で説明したバックライト輝度算出処理とガンマ値の算出処理のために使われるデータ算出期間を示している。Ｃは、映像書き込み期間を示している。Ｄは、映像保持期間を示している。Ｅは、黒書き込み期間を示している。
【００６８】
（７−１）第１ブロック
まず、第１ブロックについて説明する。
【００６９】
第１フレーム期間の第１分割期間において、第１ブロックで表示する映像信号を取り込み、第１メモリ１５１に保存する。この保存は、第３分割期間まで行う（図４中のＡ参照）。
【００７０】
また、第１フレーム期間の第１分割期間と第２分割期間において、第１ブロックに対応する画素に黒書き込み信号を送り黒書き込みを行う（図４中のＥ参照）。
【００７１】
次に、第１フレーム期間の第２分割期間において、第１ブロックで表示する映像信号からバックライト輝度とガンマ値を算出する（図４中のＢ参照）。
【００７２】
次に、第１フレーム期間の第３分割期間において、上記のようにしてデータ処理した映像信号を各画素に書き込む。この書き込まれる画素は、第１ブロックの範囲に属する各画素に書き込む（図４中のＣ参照）。
【００７３】
次に、第１フレーム期間の第４分割期間において、上記のようにして書き込んだ映像信号を保持し、第１ブロックに対応するバックライト１１１のＬＥＤ１１２を点灯させ、画像を表示する（図４中のＤ参照）。
【００７４】
最後に、第１フレーム期間の第５分割期間において、第１ブロックに対応するバックライト１１１のＬＥＤ１１２を消灯させ、再び第１ブロックに対応する画素に黒書き込みを行う（図４中のＥ参照）。
【００７５】
（７−２）第２ブロック
次に、第２ブロックについて説明する。
【００７６】
第２ブロックは、第１ブロックよりも第１分割期間分遅れて第１ブロックと同様の処理が行われる。
【００７７】
すなわち、第１フレーム期間の第２分割期間において、映像信号を第２メモリ１５２に格納する（図４中のＡ参照）。
【００７８】
また、第１フレーム期間の第１分割期間から第３分割期間において、第２ブロックに対応する画素に黒書き込み信号を送り黒書き込みを行う（図４中のＥ参照）。
【００７９】
第１フレーム期間の第３分割期間において、同様にデータ処理を行う（図４中のＢ参照）。
【００８０】
第１フレーム期間の第４分割期間において、第２ブロックの画素に映像信号を書き込む（図４中のＣ参照）。
【００８１】
第１フレーム期間の第５分割期間において、書き込んだ映像を保持し、第２ブロックに対応するバックライト１１１のＬＥＤ１１２を点灯させる。
【００８２】
（７−３）第３〜５ブロック
次に、第３ブロックにおいても、第２ブロックよりも１分割期間遅れて同様の処理を行う。但し、この場合に保存するメモリは第３メモリ１５３に格納する。
【００８３】
次に、第４ブロックにおいても、第３ブロックよりも１分割期間遅れて同様の処理を行う。但し、この場合に第４ブロックに対応する映像信号を格納するメモリは、第１メモリ１５１に格納する。すなわち、第４ブロックにおける映像信号を格納する期間は第１フレーム期間における第４分割期間であるため、第１ブロックにおいて第１メモリ１５１に格納した映像信号は既にデータ処理され書き込まれて第１ブロックにおいては既に不要となっているため、第４ブロックの映像信号を格納していく。
【００８４】
次に、第５ブロックにおいても、第４ブロックより１分割期間遅れて同様の処理を行う。但し、この場合に格納するメモリは、第２ブロックの映像信号が既にデータ処理が終了しているため第２メモリ１５２に格納する。
【００８５】
（８）効果
以上のような駆動方法を行うと、従来のように１フレーム期間の映像信号を格納するフレームメモリが不要となり、各ブロックにおける映像信号を格納するメモリを３個準備すればよく、メモリ容量を大幅に低減することができる。
【００８６】
また、１フレーム期間において５つのブロックに分割し各ブロック毎にフラッシングレス駆動法を行うため、フレームの遅れによるフラッシュ現象などが発生したりすることがない。すなわち、１フレーム期間においては表示する映像信号とバックライトの輝度が一致しているため、バックライト輝度によりちらつきや輝度変化遅れの異常な映像信号を表示することがない。
【００８７】
（第２の実施形態）
本発明の第２の実施形態の液晶表示装置について、図５及び図６に基づいて説明する。
【００８８】
（１）第１の実施形態との比較
第１の実施形態の液晶表示装置においては、ブロック毎にＬＥＤ１１２の輝度と、ガンマ値が決定されていた。このようなバックライト１１の輝度の制御方法においては、隣接するブロックで輝度の差が大きくなった場合には、隣接するブロックの境界において筋が見えてしまう場合がある。
【００８９】
そこで、第２の実施形態の液晶表示装置においては、隣接するブロック間の境界において筋が発生しないようにバックライト１１の輝度の制御方法を提供する。
【００９０】
（２）輝度調整の概念
図５に基づいて、第１の実施形態の制御方法と比較しつつ第２の実施形態の輝度の制御方法について説明する。
【００９１】
図５（ａ）は、１フレーム期間における映像信号の入力の状態を示すものであり、縦軸がラインの位置であり、横軸が時間軸である。
【００９２】
図５（ｂ）は、第１の実施形態の輝度の調整方法であり、５つのブロック毎に各輝度が決定されている。しかしながら、このようなブロック毎の輝度の制御方法であると、上記したようにブロック間の輝度差が大きくなり、例えば図５（ｂ）においては、第１ブロックと第２ブロックの間の輝度差が大きくなり、液晶パネル１０における第１ブロックと第２ブロックの境界部分に筋が見えてしまう場合がある。
【００９３】
図５（ｃ）は、本実施形態におけるブロック毎の輝度を表している。
【００９４】
第２ブロックに着目して説明すると、第１の実施形態の計算方法において第２ブロックの輝度を計算すると、図５（ｂ）の値のようになる。しかし、このような値であると第１ブロックの輝度との差が大きくなるため筋が見えてしまうことがある。そこで、本実施形態では、この第１のブロックの輝度を中心として±１０％の範囲内に第２ブロックの輝度が入るように補正を行っている。
【００９５】
このようにすることで、隣接するブロック間の輝度の差が小さくなり、上記のようなブロック間において筋が発生することがない。
【００９６】
（３）本実施形態の制御方法
次に、図６に基づいて、本実施形態のバックライト１１の輝度の制御方法について説明する。
【００９７】
ステップ１において、第（ｋ−１）ブロックの輝度Ｐｋ−１が入力する。この輝度Ｐｋ−１は、１つ前のブロックにおいて計算されたものを用いる。
【００９８】
ステップ２において、第ｋブロックの輝度Ｐｋを計算する。この計算方法は第１の実施形態と同様である。
【００９９】
ステップ３において、第ｋブロックの輝度Ｐｋと、第（ｋ−１）ブロックの輝度Ｐｋ−１の９０％の値を比較し、第ｋブロックの輝度Ｐｋが０．９×Ｐｋ−１より大きければステップ４に進み、小さければステップ５に進む。
【０１００】
ステップ４において、第ｋブロックの輝度Ｐｋが１つ前のブロックの輝度Ｐｋ−１の９０％よりも小さいため、第（ｋ−１）ブロックの輝度Ｐｋ−１の９０％の輝度に補正して点灯する。この補正した輝度を用いてガンマ値を補正する。そして、ステップ８に進む。
【０１０１】
ステップ５において、第（ｋ−１）ブロックの輝度Ｐｋ−１の１１０％の値と第ｋブロックの輝度Ｐｋ−１とを比較し、第ｋブロックの輝度Ｐｋが１．１×Ｐｋ−１より小さければステップ６に進み、大きければステップ７に進む。
【０１０２】
ステップ６において、第ｋブロックの輝度Ｐｋは第（ｋ−１）ブロックの輝度Ｐｋ−１の±１０％の範囲内にあるため、第ｋブロックの輝度Ｐｋで点灯させる。この輝度を用いてガンマ値を補正する。そして、ステップ８に進む。
【０１０３】
ステップ７において、第ｋブロックの輝度Ｐｋが第（ｋ−１）ブロックの輝度Ｐｋ−１の１１０％より大きいため、第（ｋ−１）ブロックの輝度Ｐｋ−１の１１０％の輝度に補正して点灯させる。この補正した輝度を用いてガンマ値を補正する。そして、ステップ８に進む。
【０１０４】
ステップ８において、ｋ＝５か否かを判断し、すなわち、最後のブロックまで終了していなければステップ９に進む。終了していればステップ１０に進む。
【０１０５】
ステップ９において、ｋ＝ｋ＋１としステップ１に戻る。
【０１０６】
ステップ１０において、次のフレームへ進み、ステップ１１においてｋ＝１としステップ１に戻る。なお、次のフレームに進んだ場合は、ステップ１における第（ｋ−１）ブロックの輝度Ｐｋ−１としては、１つ前のフレームの最後のブロックの輝度を用いる。
【０１０７】
（４）効果
上記のように１つ前のブロックの輝度と比較して、その輝度の±１０％以内に次のブロックの輝度が収まるようにするため、隣接するブロック間に筋が発生したりすることがない。
【０１０８】
（５）変更例
上記実施形態では前のブロックの輝度の±１０％に設定したが、これに代えて、隣接するブロック間の境界の筋が見えない限り、±１０％の値ではなく、それより大きい値、または、小さい値でもよい。
【０１０９】
（第３の実施形態）
次に、第３の実施形態について図７に基づいて説明する。
【０１１０】
第２の実施形態では、隣接するブロック間の境界の筋が見えないようにするために、１つ前のブロックの輝度を基準として判断していたが、本実施形態では、現フレームンの１つ前のフレームにおけるブロック毎の輝度の平均値を基準とする。
【０１１１】
図７（ａ）は、１フレーム毎の映像信号の入力とライン位置を表したものである。
【０１１２】
図７（ｂ）は、第１の実施形態で説明したフレーム毎の輝度の状態を表したものである。この状態であると第２の実施形態で説明したように、隣接するブロック間において境界に筋が発生する場合がある。
【０１１３】
そこで、図７（ｃ）に示すように、バックライト輝度算出部３４で算出した１つ前のフレームのブロック毎の輝度（以下、本実施形態では、「輝度候補」という）の平均値を求める。そして、この輝度候補の平均値の±１０％以内に次のフレームのブロック毎の輝度が収まるように、バックライト輝度算出部３４で算出した次のフレームのブロック毎の輝度候補を補正して、この補正した輝度で点灯させる。
【０１１４】
このように制御することで、ブロック間の境界の筋が発生したりすることがない。
【０１１５】
なお、全フレームのブロック毎の輝度の平均値の±１０％に限らず、隣接するブロック間の境界に筋が見えない限り、±１０％よりも大きい値、または、小さい値でもよい。
【０１１６】
（変更例）
本発明は上記各実施形態に限らず、その主旨を逸脱しない限り種々に変更することができる。
【０１１７】
（１）変更例１
上記各実施形態では横方向に延びる領域を５つのブロックに分けて説明したが、２以上のブロックに分ければよく、１０ブロック以上例えば１５や２０ブロックに分けてもよい。
【０１１８】
（２）変更例２
上記実施形態では、ＯＣＢ型の液晶表示装置について説明したが、本実施形態はＴＮ型、ＶＡ型、ＩＰＳ型、強誘電型、あるいは反強誘電型等の液晶表示装置においても適用することができる。
【０１１９】
そして、これら液晶の応答速度としては、例えば５ｍ秒以下のもの、特に非映像信号書込みを行う場合にはＯＣＢ型の液晶が好適である。
【図面の簡単な説明】
【０１２０】
【図１】第１の実施形態の液晶表示装置のブロック図である。
【図２】コントローラのブロック図である。
【図３】バックライトの説明図であり、（ａ）は平面図であり、（ｂ）は側面図である。
【図４】１フレーム単位での処理の流れを示すタイミングチャートでる。
【図５】第２の実施形態の１フレームにおける各ブロックの輝度の変化を示した説明図である。
【図６】第２の実施形態における輝度の制御方法のフローチャートである。
【図７】第３の実施形態の各フレームのブロック毎の輝度の値を示す説明図である。
【符号の説明】
【０１２１】
１０  液晶パネル
１１  バックライト
１２  ソースドライバ
１３  ゲートドライバ
１４  コントローラ
１５  ブロックメモリ
３０  ヒストグラム検出部
３２  ブロックメモリ制御部
３４  バックライト輝度算出部
３６  バックライト制御部
３８  ガンマ変換値算出部
４０  ガンマ変換部
１１１  導光板
１１２  ＬＥＤ
【図１】
0005197153.tif 000002
【図２】
0005197153.tif 000003
【図３】
0005197153.tif 000004
【図４】
0005197153.tif 000005
【図５】
0005197153.tif 000006
【図６】
0005197153.tif 000007
【図７】
0005197153.tif 000008